(57)【要約】  本発明は、長時間収納しても衣類にしわができにくい、衣類の運搬具を提供する。すなわち、本発明は、１つ以上の衣類を運搬するための器具に関し、該器具は、ハウジングと、該ハウジング内に収容可能に構成された第１部材を備える。第１部材は、１つ以上の衣類を支持することが可能なように構成され、かつ、変形可能となっている。【選択図】図１
2011527217.tif 000002
【特許請求の範囲】
【請求項１】
ハウジングと、
該ハウジングの内側に収容可能に構成され、かつ、１つ以上の衣類を支持可能に構成された、変形可能な第１部材と
を備える、
１つ以上の衣類を運搬するための器具。
【請求項２】
前記ハウジングの内側に収容可能に構成され、かつ、１つ以上の衣類を支持可能に構成された第２部材を備える、請求項１に記載の器具。
【請求項３】
前記第１部材が、コートまたはジャケットの肩部内に収納可能に構成されている、請求項１または２に記載の器具。
【請求項４】
前記第１部材がコートハンガーの形状を備える、請求項１〜３のいずれかに記載の器具。
【請求項５】
前記第１部材が、胴体の肩部に沿った形状を有する、請求項１〜４のいずれかに記載の器具。
【請求項６】
前記第１部材が、従来のハンガーよりも広い幅を備える、請求項１〜５のいずれかに記載の器具。
【請求項７】
前記第１部材が柔軟性を備える、請求項１〜６のいずれかに記載の器具。
【請求項８】
前記第１部材が発泡樹脂からなる、請求項１〜７のいずれかに記載の器具。
【請求項９】
前記第１部材が弾性を有する発泡樹脂からなる、請求項８に記載の器具。
【請求項１０】
前記第２部材が、衣類を巻き上げ可能に構成されている、請求項２、または請求項２に従属する請求項３〜９のいずれかに記載の器具。
【請求項１１】
前記第２部材が変形可能である、請求項１０に記載の器具。
【請求項１２】
前記第２部材が剛体からなる、請求項１０に記載の器具。
【請求項１３】
前記第２部材が中空部材からなる、請求項１０〜１２のいずれかに記載の器具。
【請求項１４】
前記器具が、衣類を収納可能に構成されているスリーブを備える、請求項１〜１３のいずれかに記載の器具。
【請求項１５】
前記スリーブが、前記衣類を収納するコンパートメントを備える、請求項１４に記載の器具。
【請求項１６】
前記スリーブがバッグである、請求項１４または１５に記載の器具。
【請求項１７】
前記スリーブまたはバッグが閉止可能である、請求項１４〜１６のいずれかに記載の器具。
【請求項１８】
前記スリーブまたはバッグが、前記第２部材を収容可能に構成されたコンパートメントを備える、請求項２に従属する、請求項１４〜１７のいずれかに記載の器具。
【請求項１９】
前記第２部材用のコンパートメントが、前記衣類用のコンパートメントから分離している、請求項１８に記載の器具。
【請求項２０】
前記第２部材用のコンパートメントが、前記第２部材をぴったりと収容できる大きさを備える、請求項１８または１９に記載の器具。
【請求項２１】
前記第２部材用のコンパートメントが、解放可能に封止することができる、請求項１８〜２０のいずれかに記載の器具。
【請求項２２】
前記ハウジングが、上部ハウジング部と下部ハウジング部とを備える、請求項１〜２１のいずれかに記載の器具。
【請求項２３】
前記上部および下部ハウジング部が連結している、請求項２２に記載の器具。
【請求項２４】
前記上部ハウジング部および下部ハウジング部は、取り外し可能に連結している、請求項２３に記載の器具。
【請求項２５】
前記上部および下部ハウジングが、ジッパまたはラッチにより連結している、請求項２４に記載の器具。
【請求項２６】
前記上部および下部ハウジングは、ヒンジにより連結している、請求項２３〜２５のいずれかに記載の器具。
【請求項２７】
前記上部および下部ハウジングは、クラムシェル構造を備える、請求項２３〜２６のいずれかに記載の器具。
【請求項２８】
前記上部および下部ハウジングが、前記ハウジングが開いて、その中に衣類が配置される第１位置から、前記ハウジングが閉じて、その中に衣類を収納することができる第２位置まで、相対的に移動可能となっている、請求項２２〜２７のいずれかに記載の器具。
【請求項２９】
前記上部ハウジング部が、前記第１部材を収容可能に構成された凹部を備える、請求項２２〜２８のいずれかに記載の器具。
【請求項３０】
前記凹部が三角形状である、請求項２９に記載の器具。
【請求項３１】
前記第１部材が開口を備える、請求項１〜３０のいずれかに記載の器具。
【請求項３２】
前記第１部材が、前記第１部材をレールまたはドアハンドルに掛けることを可能とする、掛け具をさらに備える、請求項１〜３１のいずれかに記載の器具。
【請求項３３】
前記掛け具が布製のストラップである、請求項３２に記載の器具。
【請求項３４】
前記布製のストラップが、前記第１部材の開口を通るように構成されている、請求項３３に記載の器具。
【請求項３５】
前記布製のストラップは、レールまたはドアノブに取り外し可能に固定できる、請求項３３または３４に記載の器具。
【請求項３６】
前記布製のストラップは、一時的な固定機構を用いて固定される、請求項３５に記載の器具。
【請求項３７】
格納用のコンパートメントをさらに備える、請求項１〜３６のいずれかに記載の器具。
【請求項３８】
前記格納用のコンパートメントが前記ハウジングから分離している、請求項３７に記載の器具。
【請求項３９】
前記ハウジングは、前記格納用のコンパートメントを取り外し可能に取り付けることができる、請求項３７または３８に記載の器具。
【請求項４０】
第１変形部材に衣類を掛ける手順と、
ハウジングが閉じた際に、それによって衣類に加わる圧縮力が、前記第１部材によって分散されるように、衣類を該ハウジング内に配置する手順と、
を備える、運搬のために衣類を収納する方法。
【請求項４１】
前記第１部材に向かって前記第２部材の周りに前記衣類を巻き取る手順をさらに備える、請求項４０に記載の方法。
【請求項４２】
スリーブ内に、前記衣類と前記第１変形部材とを配置する手順をさらに備える、請求項４０または４１に記載の方法。
【請求項４３】
スリーブ内に、前記衣類と前記第１部材とを配置する手順を備える場合に、前記スリーブによって形成されるコンパートメント内に前記第２部材を挿入する手順をさらに備える、請求項４２に記載の方法。
【発明の詳細な説明】
【技術分野】
【０００１】
本発明は、衣類を運搬するための器具に関する。
【背景技術】
【０００２】
現在、市販されている、衣類を収納するためのスーツケースや旅行カバンでは、使用者が目的地に着いたときに、収納していた衣類にしわを生じさせずに、すぐに着用可能とすることが意図されている。しかしながら、これらのケースは、非常に大きく、これらの器具を運んだり、引いたりするためには、片方の手がふさがれてしまうことが多い。さらに、衣類を長く収納していると、しわが生じてしまうという問題もある。
【０００３】
このため、市販されているほとんどの器具は、たとえば、使用者がランニングや自転車で通勤する際や、出張のために、洗練された衣類を前日にあらかじめ収納し、運搬しようとする場合には、実用的とはいいがたいものとなっている。
【発明の概要】
【発明が解決しようとする課題】
【０００４】
本発明の目的は、長時間収納しても衣類にしわができにくい、衣類の運搬具を提供することである。
【課題を解決するための手段】
【０００５】
本発明の第1態様によれば、
ハウジングと、
該ハウジングの内側に収容可能に構成され、かつ、１つ以上の衣類を収納可能に構成された、変形可能な第１部材と、
を備える、１つ以上の衣類を運ぶための器具が提供される。
【０００６】
本発明の一実施形態においては、１つ以上の衣類を支持可能に構成され、その器具の使用の際に衣類にしわができにくい、変形可能な部材が提供される。たとえば、衣類がハウジング内に収納され、そのハウジングが閉じられた場合には、閉じることによって生じる圧力が第１部材によって吸収され、衣類に加わる圧縮効果が低減する。２つの剛体面の間にある衣類に圧縮効果が働くと、素材中にすでに存在するしわが一層ひどくなる。
【０００７】
該器具は、前記ハウジングの内側に収容可能に構成され、かつ、１つ以上の衣類を支持可能に構成された第２部材を備える。
【０００８】
好ましくは、第１部材はコートまたはジャケットの肩部の内側に収容可能に構成されている。第１部材は、コートハンガーの形状を採りうる。
【０００９】
好ましくは、第１部材は、胴体（トルソ）の肩部を形成する。第１部材は、スーツの上胸部を保護するように設計されている。スーツのこの部分は、非常に繊細であり、通常はフェルト材によって補強されているが、圧力の影響を受けて、変形や疲労が生じやすい。第１部材の目的は、この部分を支持し、スーツ本来の形状を保持することである。第１部材は、また、通常よりも大きなスーツの肩部も支持することができる。
【００１０】
好ましくは、第１部材は、従来のハンガーよりも幅が広い。このように構成することで、肩パッドを保護することができる。
【００１１】
好ましくは、第１部材は、柔軟性を有する。
【００１２】
好ましくは、第１部材は、発泡樹脂からなる。
【００１３】
好ましくは、第１部材は、弾性を備える発泡樹脂からなる。
【００１４】
好ましくは、第２部材は、衣類を巻き上げられるように構成されている。衣類を巻き上げる際に、第１部材に圧力が加わるが、第１部材が変形して圧力が分散し、結果として、しわの発生が抑制される。
【００１５】
一実施形態において、第２部材は変形可能である。
【００１６】
別の実施形態においては、第２部材は剛体からなる。
【００１７】
好ましくは、第２部材は中空部材からなる。空洞部が存在することによって、前記器具を軽量化することができる。
【００１８】
好ましくは、前記器具は、衣類を収納可能に構成されたスリーブを備える。
【００１９】
前記スリーブは、前記衣類を収納するためのコンパートメントを備える。
【００２０】
好ましくは、前記スリーブはバッグである。前記スリーブまたはバッグは、衣類を巻き上げる際に、衣類にギャザーやしわが発生することを防止する。
【００２１】
好ましくは、前記スリーブまたはバッグは、好ましくはジッパにより、閉止可能とする。
【００２２】
好ましくは、前記スリーブまたはバッグは、第２部材を収容可能に構成されたコンパートメントを備える。前記スリーブまたはバッグは、スーツを巻き上げる際に、スーツと前記第２部材との間の摩擦力を減少させる役割を果たす。
【００２３】
第２部材用のコンパートメントは、前記衣類用のコンパートメントから分離されている。
【００２４】
第２部材用のコンパートメントは、第２部材をぴったりと収容する大きさを備える。
【００２５】
第２部材のコンパートメントは、解放可能に封止される。
【００２６】
好ましくは、前記ハウジングは、上部ハウジング部と下部ハウジング部を備える。
【００２７】
該上部および下部ハウジング部は、連結可能である。
【００２８】
好ましくは、該上部ハウジング部および下部ハウジングは、取外し可能に連結される。
【００２９】
該上部および下部ハウジングは、ジッパ、ラッチ、その他の部材によって、連結可能である。
【００３０】
好ましくは、前記上部および下部ハウジングは、ヒンジによって連結される。
【００３１】
好ましくは、前記上部および下部ハウジングは、クラムシェル構造を備える。
【００３２】
前記上部および下部ハウジングは、前記ハウジングが開いて、その中に衣類が配置される第１位置から、前記ハウジングが閉じて、その中に衣類を収納することができる第２位置へと、相対的に移動可能となっている。
【００３３】
好ましくは、前記上部ハウジング部は、前記第１部材を収容可能に構成された凹部を備える。前記第１部材が載置される凹部を備えることによって、使用時に、衣類をしっかり固定して収納することが容易になり、該器具内における衣類の移動が制限されるため、しわの発生が抑制される。前記凹部は、三角形状を採ることができる。
【００３４】
好ましくは、第１部材は開口を備える。該開口は、衣類がハンガーに掛けられている場合に、該衣類の前方からアクセス可能なハンドルとして利用される。
【００３５】
好ましくは、第１部材は、第１部材をレール、ドアノブ、その他の部材に掛けることができる掛け具を備える。
【００３６】
好ましくは、該掛け具は、布製のストラップである。
【００３７】
好ましくは、該布製のストラップは、第１部材の開口を通るように構成される。
【００３８】
好ましくは、該布製のストラップは、取り外し可能に、レール、ドアノブ、その他の部材に固定することができる。該掛け具は、一時的な固定器具、たとえば、面ファスナを使用することで固定でき、このような固定器具によって、該掛け具を衣類用のレールや衣類掛けに固定することができる。使用しない場合には、該掛け具は、前記クラムシェル構造を閉じることができるスーツバッグにぴったりと載置される。前記掛け具が布製である場合には、それによってスーツにしわができることはない。
【００３９】
一実施形態においては、前記器具は、格納用のコンパートメントを備える。
【００４０】
前記格納用のコンパートメントは、前記ハウジングから分離している。前記格納用のコンパートメントは、たとえば、靴を収納するために使用される。
【００４１】
前記ハウジングは、前記格納用のコンパートメントを取り外し可能に取り付けることができる。
【００４２】
本発明の第２の実施態様によれば、運搬のために衣類を収納する方法が提供される。該方法は、
衣類を第１変形部材に掛ける手順と、
ハウジングが閉じている場合に、該ハウジングによって衣類に加わる圧縮力が、第１部材によって分散されるように、衣類を該ハウジング内に収納する手順と、
を備える。
【００４３】
好ましくは、第１部材に向かって第２部材の周りに前記衣類を巻き取る手順をさらに備える。
【００４４】
好ましくは、スリーブ内に、前記衣類と前記第１変形部材を配置する手順をさらに備える。
【００４５】
好ましくは、スリーブ内に前記衣類と前記第１変形部材を配置する手順を備える場合に、第２部材を前記スリープまたはバッグによって形成されるコンパートメント内に挿入する手順をさらに備える。
【図面の簡単な説明】
【００４６】
【図１】図１は、本発明の一実施形態の１つ以上の衣類を運搬するための器具の斜視図である。
【図２】図２は、図１に示す器具の分解図である。
【図３】図３は、図１に示す器具の第２部材の一端から見た斜視図である。
【図４】図４は、図１に示す器具の第１部材の斜視図である。
【図５】図５は、図１に示す器具のぶら下げストラップの斜視図である。
【図６】図６は、図１に示す器具の保護バッグの斜視図である。
【図７】図７ａ〜７ｅは、図１に示す器具の使用手順を表した一連の模式図である。
【発明を実施するための形態】
【００４７】
初めに図１および図２を参照すると、本発明の一実施形態の１つ以上の衣類を運搬するための器具１０の斜視図および分解図が表されている。
【００４８】
器具１０は、上部ハウジング１４と下部ハウジング１６からなるハウジング１２を備える。特に図２を参照すると、器具１０は、変形可能な第１部材１８および第２部材２０を備え、両部材１８、２０はハウジング１２内に収容されるように、かつ、１つ以上の衣類を支持可能に、構成されている。
【００４９】
上部および下部ハウジング１８、２０は、上部ハウジング１４の外縁２２および下部ハウジング１６の外縁２４に沿って固定された、図示しないヒンジによって連結されている。これによって、ハウジング１２がクラムシェル状に開閉することが可能となっている。ハウジング１２は、ラッチ２６、２８をさらに備え、ハウジングを閉じた状態で、解放可能にハウジング１２をロックできるようになっている。
【００５０】
前記変形可能な第１部材１８は発泡体からなり、人間の胴体（トルソ）上部を模倣した形状となっており、コートハンガーのように使用される。すなわち、使用時に、衣類が第１部材に掛けられ、衣類の肩部を十分に支持することとなる。
【００５１】
第２部材２０は、補強用の再生ボール厚紙から作られた中空部材からなる。このことは、図１の器具１０の第２部材２０を一端から見た斜視図を示す図３に、よりはっきりと表わされている。
【００５２】
図４を参照すると、第１部材１８の斜視図が表されている。第１部材１８は、第１部材１８をレールなどに掛けるための布製ストラップを通す開口３０を備えている。布製ストラップ５０は、図５に表されている。再び図４を参照すると、第１部材１８は、後述する目的のために、ズボン掛け３４と第１および第２上部表面３６、３８とを備えている。
【００５３】
再び図２を参照すると、上部ハウジング１４は、変形可能な第１部材１８を収容するように構成された凹部３２を形成していることが、確認される。
【００５４】
さらに図６を参照すると、器具１０は、ハウジング１２内に挿入する前に衣類が収納される保護バッグ６０をさらに備える。保護バッグ６０は、第２部材２０を収容するように構成された前面６４に、開閉可能なコンパートメント６２を備えている。保護バッグ６０の目的について説明する。
【００５５】
器具１０の操作手順は、図７に詳述されている。図７には、図１に示す器具１０の操作手順を示す一連の模式図である図７ａ〜図７ｅが含まれている。この例では、スーツが器具１０内に収納される。
【００５６】
最初に、スラックス（図示せず）が、第１部材１８のズボン掛け３４に掛けられる。そして、ジャケット（図示せず）が、第１部材１８の上面３６、３８に掛けられる。その後、スーツ７０が、保護バッグの片側に置かれ、一方の面上に広げられる（図７ａ）。第２部材２０は、所定の位置にない場合は、スーツジャケットとスラックスの裾が位置する下端において、保護バッグ６０のコンパートメント６２内に挿入されており、スーツ７０は、第１部材１８に向かって、第２部材２０の周りに巻き上げられる（図７ｂ〜図７ｄ）。このようにスーツ７０を巻き上げる際に、第１部材１８に圧力が加わるが、この圧力を吸収するように第１部材１８が変形し、スーツ７０にしわができることが防止される。バッグ６０は、このスーツ７０を巻き上げる手順において潤滑剤のような機能を有し、スーツ７０と第２部材２０の間に作用する摩擦力を減少させる。
【００５７】
巻き取られたスーツ７０は、第１部材１８および第２部材２０とともに、その後下部ハウジング１６内に収納され、所定の位置にある上部ハウジング１４が前記ヒンジ（図示せず）を中心として回転し、ハウジング１２が閉じた後、前記ラッチ２６、２８がロックされる（図７ｅ）。このようにハウジング１２を閉じる際に、衣類には圧縮力が加わる可能性もあるが、この圧縮力は、前記変形可能な第１部材および第２部材１８、２０によって分散される。
【００５８】
閉じた状態では、第１部材１８は、上部ハウジング１４の凹部３２内に保持され、ハウジング１２内での衣類の移動が防止され、しわが生じることが防止される。
【００５９】
上述した発明に種々の変更や改良を加えたものも本発明の範囲に含まれる。たとえば、第１部材および第２部材の両方が変形可能であると記載されているが、第１部材のみが変形するようなものも考えられる。第２部材は、木製やプラスチック材料によって作られた剛体であってもよい。
【符号の説明】
【００６０】
１０  器具  
１２  ハウジング
１４  上部ハウジング
１６  下部ハウジング
１８  第１部材
２０  第２部材
２２  上部ハウジング縁部
２４  下部ハウジング縁部
２６  ラッチ
２８  ラッチ
３０  開口
３２  凹部
３４  ズボン掛け
３６  第１部材上部表面
３８  第１部材上部表面
５０  布製ストラップ
６０  バッグ
６２  コンパートメント
６４  前部表面
【図１】
2011527217.tif 000003
【図２】
2011527217.tif 000004
【図３】
2011527217.tif 000005
【図４】
2011527217.tif 000006
【図５】
2011527217.tif 000007
【図６】
2011527217.tif 000008
【図７ａ】
2011527217.tif 000009
【図７ｂ】
2011527217.tif 000010
【図７ｃ】
2011527217.tif 000011
【図７ｄ】
2011527217.tif 000012
【図７ｅ】
2011527217.tif 000013
【国際調査報告】
2011527217.tif 000014
2011527217.tif 000015
2011527217.tif 000016
2011527217.tif 000017
2011527217.tif 000018
2011527217.tif 000019